(57)【特許請求の範囲】
【請求項１】
燃料を炉内へ供給するバーナガンの炉内先端部の周囲に設けられたコーンと、同コーン表面の周囲に一次空気を流出させる複数の穴を設けると共に、同穴の炉内側に同穴から流出する一次空気を前記コーンの表面にほぼ平行に流出させる案内板とを有してなる保炎器において、前記案内板の表面に複数の穿孔を施したことを特徴とする保炎器。
【発明の詳細な説明】
【０００１】
【発明の属する技術分野】
本発明は事業用、産業用ボイラのバーナに適用される保炎器に関し、保炎器の案内板にカーボンが付着するのを防止する構造にしたものである。
【０００２】
【従来の技術】
図４は従来の保炎器の正面図、図５は図４におけるＢ−Ｂ断面図ある。この保炎器は特開平７−１９８１１３号に開示され、本出願人により出願されたものであり、次にその概要を説明する。両図において、１は一次空気ノズルであり、後述する保炎器６の外側を円筒状に覆っている。２はバーナガイド管であり、内部にバーナガン３が配置されている。４はバーナガン３から供給される燃料、５は一次空気ノズルから供給される一次空気である。６は保炎器であり、炉内１０に向ってラッパ状に広がった形状をしており、６ａはコーン、６ｂは外筒、６ｃは内筒、６ｄは補強リブである。このように保炎器６はコーン６ａ、外筒６ｂ、内筒６ｃおよび補強リブ６ｄにより構成されており、バーナガンガイド管２の先端部に装着される。
【０００３】
７はコーン６ａに沿って形成されるリングフレーム、８は燃焼火炎、９は後述する案内板１２の表面に付着し、成長したカーボンである。１０は炉内を示し、１１はコーン６ａに明けられた一次空気取り入れ穴であり、図４に示すように円周状に複数個（図４では６個）配置されている。１２は前述の案内板であり、コーン６ａの一次空気取り入れ穴１１の位置に一定の空間を保ち、両側を開口した空気室１３を形成するように複数板（図４では６枚）が配置されている。
【０００４】
上記構成の保炎器において、燃料４はバーナガン３先端から炉内１０に供給される。一方、一次空気５は一次空気ノズル１出口に於いて図５に示すよう５ａ〜５ｅの流れとなり、炉内１０に供給される。上述した状態で図示していない点火源により着火させると、コーン６ａの表面にリングフレーム７が形成され、および炉内１０に燃焼火炎８を形成する。
【０００５】
リングフレーム７は一次空気５が供給されることにより保炎器６の表面近傍部が負圧となり、この負圧部分に一次空気５ｂと燃料４の一部が巻き込まれ、適正な混合気となるため形成されるものである。このリングフレーム７は安定な火炎であり一度形成されると点火源がなくても自己保炎して継続燃焼を可能とする。
【０００６】
一次空気５ｅはコーン６ａの一次空気取り入れ孔１１から入り、案内板１２とコーン６ａで形成された空気室１３の両側開口から図４に示すように保炎器６表面に流出し、コーン６ａの表面にエアカーテンを形成する。このエアカーテンは、燃焼により発生するカーボンを保炎器６表面に付着させないためのものである。
【０００７】
ところが、案内板１２の表面部は巻き込みの流れはあるものの軸流方向の流れがないため保炎器６の表面のカーボンの付着は防止されるが、案内板１２の表面にはカーボン９が付着し、図５に示すように成長していく。このカーボン９は付着力が弱い場合、ある程度成長すると自重により剥離するが、付着力が強い場合は成長したまま剥離しないことになる。カーボン９が付着成長したままでは、保炎器６の表面近傍部に一次空気５ｂと燃料４の一部の巻き込みが無くなり、リングフレーム７が消滅する。この結果、燃焼火炎８の着火点は不安定となり、最悪の場合は失火することになる。
【０００８】
【発明が解決しようとする課題】
前述の従来の保炎器においては、保炎器のコーンに一次空気取り入れ穴を複数設け、これら穴の上面には案内板を配置するようにして保炎器表面にエアカーテンを形成して表面にカーボンが付着するのを防止するような対策を施したので、このような対策をしない保炎器と比べて保炎器表面のカーボンの付着が防止されるものである。しかし、前述のように、案内板１２の表面部には空気の巻き込みの流れはあるものの軸流方向の流れがないため、案内板１２の表面には図５に示すようにカーボン９が付着して成長するようになる。このままカーボン９が成長していくと前述のようにリングフレーム７が消滅してしまい、この結果、燃焼火炎８の着火が不安定となり、最悪の場合は失火することになる。
【０００９】
そこで本発明は、保炎器に複数の一次空気取り入れ穴を設けると共に、これら穴を通過した一次空気を保炎器の表面に沿わせて噴出させる案内板を配置したものにおいて、更にこの保炎器を改良し、案内板の表面にも一次空気が流れるような構造にして案内板表面にカーボンが付着し、成長して堆積しないような保炎器とし、リングフレームが消失せずに安定した着火を有するようにすることを課題としてなされたものである。
【００１０】
【課題を解決するための手段】
本発明は前述の課題を解決するために次の手段を提供する。
【００１１】
燃料を炉内へ供給するバーナガンの炉内先端部の周囲に設けられたコーンと、同コーン表面の周囲に一次空気を流出させる複数の穴を設けると共に、同穴の炉内側に同穴から流出する一次空気を前記コーンの表面にほぼ平行に流出させる案内板とを有してなる保炎器において、前記案内板の表面に複数の穿孔を施したことを特徴とする保炎器。
【００１２】
本発明の保炎器は案内板表面にも穿孔を施したもので一次空気が複数の孔から案内板上面へ流出し、案内板上面にも軸流方向の流れが発生し、この流れにより案内板表面にカーボンが付着するのを防止し、そのために、保炎器コーン表面において一次空気と燃料の適正な混合がなされ、リングフレームが成長したカーボンにより消滅することがないので安定した燃焼が継続される。
【００１３】
【発明の実施の形態】
以下、本発明の実施の形態について図面に基づいて具体的に説明する。図１は本発明の実施の一形態に係る保炎器の正面図、図２は図１におけるＡ−Ａ断面図、図３は図１における案内板の拡大断面図である。これら図において、従来例と異なる部分は案内板２２であり、従来の案内板１２とは案内板に複数の穿孔を設けたところが異なっている。その他の部分は従来例と同じものであるので、これらの部分の説明は省略し、本発明の特徴部分のみについて説明する。
【００１４】
図２において、一次空気ノズル１より流入する一次空気５のうち、保炎器６のコーン６ａに設けられた一次空気取り入れ穴１１に空気５ｅが流入し、空気室１３の両側から図１に示すように保炎器６のコーン６ａの表面に沿って流出し、エアカーテンを形成し、保炎器６表面にカーボンが付着するのを防止している。
【００１５】
同時に空気５ｅの１部は図３に示すように案内板２２の多数の穿孔１４から空気５ｆとなって軸流方向に噴出して案内板２２の表面に付着しようとするカーボンを吹き飛ばし、従来のようにカーボンが付着して堆積するのを防止している。
【００１６】
上記のように穿孔１４より軸流方向に空気５ｆが噴出することにより案内板２２の表面にカーボンが付着して成長するようなことがないので、一次空気５ｂと燃料４の一部が保炎器６の表面近傍で巻き込まれ、適正な混合気となってリングフレーム７が消滅することがない。
【００１７】
以上説明のように、本実施の形態においては、コーン６ａには一次空気取り入れ穴１１を設けると共に、その穴１１の炉内１０側に案内板２２を設け、これによりコーン６ａの表面に一次空気のエアカーテンを形成せしめてコーン６ａ表面にカーボンが付着して堆積するのを防止する。
【００１８】
更に、案内板２２に複数の穿孔１４を設けることにより案内板２２上面に軸流方向の流れを発生させ、案内板２２表面のカーボン付着を防止できるので、保炎器のコーン６ａ及び案内板２２のいずれにもカーボンが付着して成長することがなく、リングフレーム７の形成が妨害されないので着火点が安定し、自己保炎を継続し、燃焼を可能とするものである。
【００１９】
【発明の効果】
以上、具体的に説明したように、本発明は、燃料を炉内へ供給するバーナガンの炉内先端部の周囲に設けられたコーンと、同コーン表面の周囲に一次空気を流出させる複数の穴を設けると共に、同穴の炉内側に同穴から流出する一次空気を前記コーンの表面にほぼ平行に流出させる案内板とを有してなる保炎器において、前記案内板の表面に複数の穿孔を施したことを特徴としている。このような構成により、案内板上面へ複数の孔より一次空気が流出し、軸流方向の流れを発生するので案内板上面へのカーボンの付着が防止され、リングフレームの形成を維持して安定した燃焼が継続できる。
【図面の簡単な説明】
【図１】本発明の実施の一形態に係る保炎器の正面図である。
【図２】図１におけるＡ−Ａ断面図である。
【図３】本発明の実施の一形態に係る保炎器の案内板の拡大断面図である。
【図４】従来の保炎器の正面図である。
【図５】図４におけるＢ−Ｂ断面図である。
【符号の説明】
１    一次空気ノズル
２    バーナガイド管
３    バーナガン
４    燃料
５    一次空気
６    保炎器
６ａ  コーン
６ｂ  外筒
６ｃ  内筒
６ｄ  補強リブ
７    リングフレーム
８    燃焼火炎
９    カーボン
１０  炉内
１１  一次空気取り入れ穴
１２  案内板
１３  空気室
１４  穿孔
２２  案内板
【図１】
0003692217.tif 000002
【図２】
0003692217.tif 000003
【図３】
0003692217.tif 000004
【図４】
0003692217.tif 000005
【図５】
0003692217.tif 000006